(57)【要約】【課題】医療レポート毎に入力内容の出力先を制御する技術を提供する。【解決手段】医用レポート文書データを作成する医療情報入力装置６において、医用レポート文書データは、値を入力可能な項目を複数備えるとともに、各項目は入力された値の出力の制御に用いる設定情報が設定自在に構成されている。データ作成開始部１１は、ユーザによる医用レポート文書データの作成指示を取得する。入力画面生成部１２は、データ作成開始部１１が作成指示を取得することを契機として、医用レポート文書データ中の各項目に対する値を入力する値入力領域と、入力された値に対する設定情報を入力する設定情報入力領域とを備える入力画面を生成する。記憶部１３は、入力画面生成部１２が生成した入力画面において入力された複数の項目の値のそれぞれの設定情報を、医用レポート文書データと対応づけて記憶する。【選択図】図２
2014211828.tif 000002
【特許請求の範囲】
【請求項１】
医用レポート文書データを作成する医療情報入力装置であって、
前記医用レポート文書データは、値を入力可能な項目を複数備えるとともに、各項目は入力された値の出力の制御に用いる設定情報が設定自在に構成されており、
前記医療情報入力装置は、
ユーザによる医用レポート文書データの作成指示を取得するデータ作成開始部と、
前記データ作成開始部が作成指示を取得することを契機として、医用レポート文書データ中の各項目に対する値を入力する値入力領域と、入力された値に対する設定情報を入力する設定情報入力領域とを備える入力画面を生成する入力画面生成部と、
前記入力画面生成部が生成した入力画面において入力された複数の項目の値のそれぞれの設定情報を、医用レポート文書データと対応づけて記憶する記憶部と、
前記記憶部に記憶された設定情報にしたがい、当該設定情報と対応づけられた医用レポート文書データに対して実行される出力処理を制御する制御部とを備えることを特徴とする医療情報入力装置。
【請求項２】
前記入力画面生成部が生成する入力画面を表示する表示部をさらに備え、
前記入力画面生成部は、入力された値と、その値に対する設定情報を入力する設定情報入力領域とを、前記表示部に同一画面として表示されるように入力画面を生成することを特徴とする請求項１に記載の医療情報入力装置。
【請求項３】
前記複数の項目のそれぞれは、あらかじめ定められた複数の値の選択肢の中から選択した値を設定自在に構成されていることを特徴とする請求項１または２に記載の医療情報入力装置。
【請求項４】
前記設定情報は、入力された値を印刷することを許可するか否か、および前記医療情報入力装置とは異なる装置がネットワークを介して表示することを許可するか否かを指定する情報であることを特徴とする請求項１から３のいずれかに記載の医療情報入力装置。
【発明の詳細な説明】
【技術分野】
【０００１】
本発明は、検査などの実施データの入力支援技術に関する。
【背景技術】
【０００２】
医師は日常的に、検査や診断を行うと、その記録を医用レポートとしてまとめる作業を行っている。例えば内視鏡検査医は、内視鏡検査を実施してその検査画像から所見内容、診断内容、処置内容等をまとめ、医用レポートを作成する（たとえば、特許文献１参照）。
【先行技術文献】
【特許文献】
【０００３】
【特許文献１】特開２０１２−９９１２４号公報
【発明の概要】
【発明が解決しようとする課題】
【０００４】
医用レポートは医師等による医学的な知見をまとめた情報を含み、患者への説明に用いられたり、院内の他の部門に対して開示されたりする場合もある。しかしながら、例えば患者に対して医用レポートの記載をありのまま全て開示することは必ずしも好ましいこととは限らない。また、例えば内視鏡検査医の診断と病理医の診断とのように部門毎に異なる診断も存在するが、同一部門内でのみ用いられる情報を他部門にまで開示する必要はない。したがって、医用レポートそれぞれについて、入力した内容の出力の出力先を制御する技術が望まれている。
【０００５】
本発明はこうした状況に鑑みなされたものであり、その目的は、医療レポート毎に入力内容の出力を制御する技術を提供することにある。
【課題を解決するための手段】
【０００６】
上記課題を解決するために、本発明のある態様の医療情報入力装置は、医用レポート文書データを作成する医療情報入力装置であって、医用レポート文書データは、値を入力可能な項目を複数備えるとともに、各項目は入力された値の出力の制御に用いる設定情報が設定自在に構成されており、ユーザによる医用レポート文書データの作成指示を取得するデータ作成開始部と、データ作成開始部が作成指示を取得することを契機として、医用レポート文書データ中の各項目に対する値を入力する値入力領域と、入力された値に対する設定情報を入力する設定情報入力領域とを備える入力画面を生成する入力画面生成部と、入力画面生成部が生成した入力画面において入力された複数の項目の値のそれぞれの設定情報を、医用レポート文書データと対応づけて記憶する記憶部と、記憶部に記憶された設定情報にしたがい、当該設定情報と対応づけられた医用レポート文書データに対して実行される出力処理を制御する制御部とを備える。
【０００７】
なお、以上の構成要素の任意の組み合わせ、本発明の表現を方法、装置、システム、記録媒体、コンピュータプログラムなどの間で変換したものもまた、本発明の態様として有効である。
【発明の効果】
【０００８】
本発明によれば、医療レポート毎に入力内容の出力を制御する技術を提供することができる。
【図面の簡単な説明】
【０００９】
【図１】実施の形態に係る医療情報入力システムの構成を模式的に示す図である。
【図２】実施の形態に係る医療情報入力装置の内部構成を模式的に示す図である。
【図３】実施の形態に係る医療情報入力装置のシステム起動・終了画面を示す図である。
【図４】実施の形態に係る医療情報入力装置の検査業務メイン画面を示す図である。
【図５】実施の形態に係る医療情報入力装置のレポート未登録検査一覧画面を示す図である。
【図６】実施の形態に係る医療情報入力装置のレポート入力画面を示す図である。
【図７】実施の形態に係る医療情報入力装置のレポート入力画面を示す図である。
【図８】実施の形態に係る医療情報入力装置の値候補一覧画面を示す図である。
【図９】実施の形態に係る医療情報入力装置のレポート入力画面を示す図である。
【図１０】図１０（ａ）−（ｄ）は、実施の形態に係る医療情報入力装置が用いる設定情報を説明するための図である。
【図１１】実施の形態に係る医療情報入力装置における入力項目の設定情報を事前に設定するための設定情報の入力設定画面の一例を示す図である。
【図１２】実施の形態に係る医療情報入力装置における入力項目の設定情報の一括設定を説明するための図である。
【発明を実施するための形態】
【００１０】
図１は、実施の形態に係る医療情報入力システム１の構成を模式的に示す図である。医療情報入力システム１は、例えば内視鏡等の医用画像を生成するモダリティ２、ＬＡＮ（Local Area Network）等のネットワーク３、レポート記憶部４、オーダ情報管理装置５、および医療情報入力装置６を含む。
【００１１】
オーダ情報管理装置５は、各部門に検査、診断、または手術などの医療行為の実施を指示するオーダ情報を管理する。医療情報入力装置６は、医師等の医療関係者（以下、「医療従事者」とよぶ。）が検査業務を記録するための医用レポート入力を支援する装置である。詳細は後述するが、医療情報入力装置６は医療従事者のためのユーザインタフェースとして入力部１５および表示部１６を含む。レポート記憶部４は、医療従事者が作成した医用レポートを記録する。
【００１２】
図２は、実施の形態に係る医療情報入力装置６の内部構成を模式的に示す図である。医療情報入力装置６は、ユーザインタフェース１０、データ作成開始部１１、入力画面生成部１２、記憶部１３、および制御部１４を備える。またユーザインタフェース１０は、入力部１５と表示部１６とを備える。医療情報入力装置６のそれぞれの構成は、ハードウェア的には、任意のプロセッサ、メモリ、その他のＬＳＩ（Large Scale Integration）で実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
【００１３】
上述したように、医療情報入力装置６は、医療従事者が検査業務を記録するためのレポート入力画面を生成して、医療従事者が入力した検査等の実施データをレポート記憶部４に記録する機能を有している。この機能は、「レポート入力機能」と呼ばれ、医療行為の結果を記録するために、医療情報入力装置６に基本機能として搭載されている。
【００１４】
最初に、基本機能として位置づけられるレポート入力機能に関する画面遷移を、図３〜図６を参照して説明する。データ作成開始部１１は、入力部１５を介して医療従事者であるユーザから医用レポート文書データの作成開始の指示を取得する。入力画面生成部１２は、データ作成開始部１１が作成指示を取得することを契機として、検査データ入力画面を生成するためのプログラムを実行して各画面を生成し、表示部１６に表示する。なお、本実施の形態では、医療情報入力装置６が内視鏡検査システムに組み込まれ、医療従事者が、医療行為として内視鏡検査を行う場合を説明するが、医療行為の種類としては、他の種類の検査や手術であってもよい。
【００１５】
図３は、実施の形態に係る医療情報入力装置６のシステム起動・終了画面５１を示す図である。図３に示すように、システム起動・終了画面５１においては、検査業務アイコン５２、カンファレンスアイコン５３、統計・履歴アイコン５４、管理機能アイコン５５が表示される。医療従事者が、ユーザＩＤとパスワードを入力してログインすると、各アイコンに対応する機能が起動可能となる。なお医療従事者が終了ボタン５０を選択すると、システムが終了する。
【００１６】
「検査業務」機能は、通常の内視鏡検査業務で使用する機能である。患者受付、前処置実施入力、撮影、実施入力、レポート入力などの一連の検査業務を行うことができる。
「カンファレンス」機能は、検査を検索し、検査画像の供覧、検査レポートの供覧・編集を行うことができる。
「統計・履歴」機能は、各種データ集計（月報、年報、実施一覧（日報）、自由項目設定によるデータ一覧）、およびスコープ使用履歴、フォローアップが必要な検査の検索を行うことができる。
「管理機能」は、システム管理者が操作する機能であり、その実行にはアクセス制限が課される。本システムで使用する各種設定や、オーダの照合・統合、送信ログ表示などを行うことができる。
【００１７】
図４は、実施の形態に係る医療情報入力装置６の検査業務メイン画面５８を示す図である。図３に示すシステム起動・終了画面５１において、医療従事者が検査業務アイコン５２を選択すると、図４に示す検査業務メイン画面５８が起動する。画面左には、検査業務に対応したアイコンが並べられ、医療従事者が選択することで、対応する画面が起動するようになっている。画面左には、患者受付アイコン５９、前処置入力アイコン６０、撮影アイコン６１、実施入力アイコン６２、レポート入力アイコン６３、検査状況一覧アイコン６４、検査オーダボタン６５が配置される。
【００１８】
図５は、実施の形態に係る医療情報入力装置６のレポート未登録検査一覧画面７２を示す図である。図４に示す検査業務メイン画面５８において、医療従事者がレポート入力アイコン６３を選択すると、図５に示すレポート未登録検査一覧画面７２が起動する。レポート未登録検査一覧画面７２には、レポート入力を行っていない患者の検査一覧７３が表示される。検査一覧７３には、レポート未作成の検査を特定するための情報が示され、図示されるように、検査時間、患者ＩＤ、患者名、入／外（入院患者か外来患者かを特定する情報）、検査項目が表示されている。医療従事者は、これらの情報をもとに、これからレポートを作成する検査を選択する。
【００１９】
図６は、実施の形態に係る医療情報入力装置６のレポート入力画面１００を示す図である。図５に示すレポート未登録検査一覧画面９２において、医療従事者が検査（患者）を選択すると、図６に示すレポート入力画面１００が開かれる。ここでは、患者「ヤマダタロウ」の検査を選択しており、レポート入力画面１００の左欄に、患者「ヤマダタロウ」に対して行った検査に紐付けされている患者情報および検査情報が表示される。患者情報は、患者データベース（図示せず）から読み出され、また検査情報は、選択された検査のＩＤをキーとして、検査情報データベース（図示せず）から読み出されて、レポート入力画面１００の左欄に入力される。
【００２０】
レポート入力画面１００の右欄には、レポート入力する人体の臓器名として、「食道」、「胃」、「十二指腸」の３つの部位が表示されている。図６に示すように、レポート入力画面１００には、人体の部位ごとに所見内容、診断内容、処置内容を入力させる領域と、総合診断の内容を入力させる領域、さらに各種コメント／使用スコープ／追加項目を入力させる領域が存在する。
【００２１】
医療従事者は、内視鏡で検査した部位（食道、胃、十二指腸等）を選択し、その部位に関する所見内容、診断内容、処置内容を入力する。また、医療従事者は、「総合診断」を選択して、総合診断の内容を入力する。さらに医療従事者は、「各種コメント／使用スコープ／追加項目」を選択して、予め設定されている項目にしたがって、必要な事項を入力する。たとえば、「各種コメント／使用スコープ／追加項目」には、検査目的を登録するための入力項目が含まれる。レポート入力画面１００において、入力部１５は、医療従事者からの入力を受け付けると、受け付けた情報を、レポートを構成するデータとしてレポート記憶部４に記録する。医療従事者が登録ボタン８０を選択すると、入力した内容がレポートとして登録され、レポートの作成が終了する。
【００２２】
以上のように、入力画面生成部１２は、左欄に表示する患者情報および検査情報をそれぞれのデータベースから取得して、レポート入力画面１００を生成し、入力部１５が、医療従事者からのレポート入力を受け付けてレポート記憶部４に記録することで、レポートが作成される。
【００２３】
以上、実施の形態に係る医療情報入力装置６におけるレポート入力画面の表示までの画面遷移について説明した。続いて、レポート入力中の画面遷移を、図７〜図１１を参照して説明する。図３〜図６に示す各画面と同様に、以下に示す各画面も入力画面生成部１２が作成して表示部１６に表示させる。
【００２４】
図７は、実施の形態に係る医療情報入力装置６のレポート入力画面１００を示す図である。図６に示すレポート入力画面１００において、医療従事者が「食道」に関するレポートを作成するためのアイコン１１０を選択すると、図７に示す画面に遷移する。
【００２５】
図７において、符号１２１は、オン／オフを切り替え自在なトグルボタンである。医療従事者は、図示しない内視鏡画像を観察して病変を見つけた場合、トグルボタン１２１を選択する。トグルボタン１２１を選択すると、部位１２２ａ／存在診断１２２ｂ／質的診断１２２ｃ／性状１２２ｄといった診断項目（以下、特に区別する場合を除き、「診断項目１２２」と記載する。）単位で値の入力が可能となる。図７に示す例は、医療従事者による検査情報の入力前の画面を示す図であり、診断項目１２２および病変の大きさ１２３には何も入力されていない。
【００２６】
図８は、実施の形態に係る医療情報入力装置６の値候補一覧画面１３０を示す図であり、質的診断に関する値候補一覧画面１３０を示す図である。図７に示すレポート入力画面１００において、医療従事者が質的診断１２２ｃを選択すると、図８に示す質的診断に関する値候補一覧画面１３０が開かれる。
【００２７】
医用レポートは、医療従事者による所見内容、診断内容、処置内容等をまとめた文書データである。実施の形態に係る医療情報入力装置６が提示する医用レポートは、値を入力可能な項目を複数備えるとともに、各項目は入力された値の出力の制御に用いる設定情報が設定自在に構成されている。より具体的には、「値を入力可能な項目」は、図７に示す部位１２２ａ／存在診断１２２ｂ／質的診断１２２ｃ／性状１２２ｄといった各診断項目１２２であり、「項目に入力する値」は、図８に示す値候補一覧画面１３０中のリスト１３１中の各文字列である。
【００２８】
リスト１３１中の各文字列は、選択肢としてあらかじめ定められており、医療従事者は、選択肢の中から選択した値を各項目に設定自在に構成されている。医療従事者は、リスト１３１中の近傍に存在するチェックボックスを選択することで、項目に入力すべき値を選択する。あるいは、医療従事者は、図示しないフリーテキスト画面においてテキスト入力することにより、項目に入力すべき値を入力することもできる。
【００２９】
図８に示す例では、「食道粘膜下腫瘍」のチェックボックス１３２が入力されている。この状態で医療従事者はＯＫボタン１３３を選択することにより、項目に入力すべき値が決定される。図９は、実施の形態に係る医療情報入力装置６のレポート入力画面１００を示す図であり、図７における各診断項目１２２に値が入力された状態の画面を示す図である。図９に示す例では、部位１２２ａの項目には「上部」、存在診断１２２ｂの項目には「びらん」、「赤血（多発性）（数個）」、および「バレット（上皮、食道、潰瘍）」、質的診断１２２ｃの項目には「食道粘膜下腫瘍（血管腫）」、性状１２２ｄの項目には「胃底部は出血性胃炎の所見です。」、および「依然胃炎・食道炎の所見は見られます。」が値として入力されている。また「大きさ」の項目には値として「８ｍｍ」が入力されている。
【００３０】
図９に示すように、入力画面生成部１２は、各診断項目１２２に入力された値の近傍に、設定情報を設定する設定情報入力領域を生成する。図９には、符号１２４ａおよび符号１２４ｂで示す領域が、設定情報入力領域の一例である。図９において符号は付していないが、各値の隣に表示されている矩形状の領域が設定情報入力領域である。
【００３１】
ここで「設定情報」とは、項目に入力された値毎に設定する情報であり、その項目の出力を制御するための出力制御情報である。より具体的に、設定情報は、各項目を印刷することを許可するか否か、および医療情報入力装置６とは異なる他の装置がネットワーク３を介して取得し、表示することを許可するか否かを同時に指定する情報であり、医療従事者は値候補一覧画面１２０において設定することができる情報である。以下、設定情報について説明する。
【００３２】
医用レポートは医師等による医学的な知見をまとめた情報を含み、しばしば、患者へ対する説明や、院内の他の部門に対して開示される。設定情報は、各医用レポート中の項目の値の開示の有無を制御するために用いられる。
【００３３】
図１０（ａ）−（ｄ）は、実施の形態に係る医療情報入力装置６が用いる設定情報を説明するための図である。より具体的に、図１０（ａ）は、各入力項目の出力表示を制御するために設定する設定情報を示す図である。図９に示す設定情報入力領域はプルダウンメニューとなっており、医療従事者が設定情報入力領域を選択すると、図１０（ａ）に示す４つのプルダウンメニューが表示される。医療従事者は、図１０（ａ）に示すプルダウンメニューから設定情報を選択することにより、各入力項目の値を印刷可能か否か、およびネットワーク３を介してＷｅｂを用いて他の装置から表示可能か否かを同時に設定することができる。
【００３４】
図１０（ａ）に示す例では、プルダウンメニューの「空白」、すなわち何も設定しないことは、その入力項目の値が印刷可能であり、またＷｅｂ上で参照可能であることを意味する。プルダウンメニューの「Ｐ」は、入力項目の値は印刷時に非表示、すなわち印刷されないが、Ｗｅｂを用いて他の装置から表示可能であることを意味する。プルダウンメニューの「Ｒ」は、入力項目の値は印刷は許可されるが、Ｗｅｂを用いて他の装置から表示できないことを意味する。ダウンメニューの「Ｗ」は、入力項目の値は印刷は許可されず、またＷｅｂを用いて他の装置からも表示できないことを意味する。
【００３５】
医療従事者は、複数ある医用レポートのそれぞれについて、その医用レポート内の各項目について設定情報を設定することができる。これにより、医用レポートそれぞれについて、きめ細やかな出力設定をすることが可能となる。
【００３６】
ここで、医用レポート中の項目にあらかじめ定められた所定の値（すなわち、図８に示す値候補一覧画面１３０におけるリスト１３１中の入力文字列）が入力されたときは、その値に応じた設定情報が入力されるようにしてもよい。図１０（ｂ）は、あらかじめ設定情報が定められた入力文字列とその設定情報の一例を示す図である。図１０（ｂ）に示す例では、入力項目に例えば「潰瘍」という文字列が値として入力された場合、設定情報としては「Ｐ」、すなわち印刷はされないが、Ｗｅｂを用いて他の装置から表示可能であることが設定される。
【００３７】
同様に、入力項目に例えば「腫瘍」という文字列が値として入力された場合、設定情報としては「Ｗ」、印刷は許可されず、またＷｅｂを用いて他の装置からも表示できないことが設定される。このように、実施の形態に係る入力画面生成部１２は、出力先の設定として特に注意すべき項目の値を予め定めておき、医療従事者がその値を入力した場合は自動的に設定情報を設定することにより、医療従事者のユーザビリティを高め、開示すべきではない情報が出力されることを軽減することが可能となる。また、医療従事者は、必要があれば自動的に設定された設定情報を事後的に変更することもできる。
【００３８】
ところで、図１０（ａ）に示す例は、ネットワーク３を介してＷｅｂを用いて他の装置から表示可能か否かを同時に設定する場合の例である。これは医療情報入力装置６において医用レポートを作成する医療従事者が所属する部門とは異なる他の部門から、医用レポートにアクセする場合を想定している。ここで、医療従事者が所属する部門とは異なる他の部門は複数存在し、部門毎に設定すべき設定情報が異なる場合もあり得る。そこで、実施の形態に係る医用情報入力装置は、部門毎に設定すべき設定情報を設定できるようにしてもよい。
【００３９】
図１０（ｃ）は、Ｗｅｂの参照元毎に設定情報を設定する場合の設定パターンの一例を示す図である。図１０（ｃ）に示す例では印刷時の設定の他、内視鏡部門、病理部門、および外来からのＷｅｂ参照について設定情報を設定する場合の例である。冗長な記載を避けるために全ての説明はしないが、図１０（ｃ）に示す例において「Ａ」は、印刷が許可され、内視鏡部門、病理部門、および外来からのＷｅｂ参照も全て許可されることを示している。また「Ｇ」は、印刷が許可され、内視鏡部門および病理部門からのＷｅｂ参照も許可されるが、外来からのＷｅｂ参照は許可されないことを示す。
【００４０】
なお、図１０（ｃ）に示す例では、内視鏡部門、病理部門、および外来の３部門を示しているが、部門の数はこれ以上であってもこれ以下であってもよい。このように、ネットワーク３を介して医用レポートにアクセスするアクセス元に応じて設定情報を設定自在に構成することにより、医用レポートの開示内容を部門毎にきめ細やかに制御することが可能となる。また、医療従事者は、必要があれば自動的に設定された設定情報を事後的に変更することもできる。
【００４１】
実施の形態に係る医療情報入力装置６は医療従事者が使用することを前提とするが、ここで医療従事者は医師のみならず、看護師やモダリティのオペレータ等も含まれる。これらの医療従事者はそれぞれの立場があるため、医用レポートに入力した内容が、全ての医療従事者に開示されることが好ましくないこともあり得る。そこで実施の形態に係る医療情報入力装置６は、医療従事者のロール（role;役割）毎に設定すべき設定情報を設定できるようにしてもよい。
【００４２】
図１０（ｄ）は、医療従事者のロール毎にあらかじめ設定情報が定められた場合の設定情報の一例を示す図である。図１０（ｄ）は、医療従事者のロールとして医師（Doctor）と看護師（Nurse）とを定める場合の例を示している。図１０（ｄ）に示す例において、「Ｐ」は、その入力項目の値が、医療従事者が医師の場合も看護師の場合も表示されることを意味する。また「Ｒ」は、医療従事者が医師の場合はその入力項目の値は表示されるが、医療従事者が看護師の場合は表示されないことを意味する。反対に、「Ｗ」は、医療従事者が看護師の場合はその入力項目の値は表示されるが、医療従事者が医師の場合は表示されないことを意味する。
【００４３】
これを実現するために、入力画面生成部１２は、図３に示したシステム起動・終了画面５１において医療従事者が入力したユーザＩＤをもとに、図示しないユーザ管理データベースを参照して医療従事者のロールを特定する。続いて、制御部１４は、入力画面生成部１２が特定した医療従事者のロールを元に、各入力項目に設定された設定情報にしたがって、その値を表示するか否かを制御する。
【００４４】
このように、医療従事者のロールを元に各入力項目の値の出力を制御することで、異なる立場の医療従事者がひとつの医用レポートを共有しても、医用レポートにアクセスする医療従事者のロール毎に異なる出力が可能となり、きめ細かな表示制御が可能となる。また、医療従事者は、必要があれば自動的に設定された設定情報を事後的に変更することもできる。
【００４５】
以上図７〜図１０を参照して説明したように、実施の形態に係る入力画面生成部１２は、医用レポート文書データ中の各項目に対する値を入力する値入力領域と、入力された値に対する設定情報を入力する設定情報入力領域とを備える入力画面を生成し、表示部１６に同一画面として表示する。医療従事者が各項目の値と、その値に対する設定情報を設定すると、記憶部１３は医用レポートと対応づけて記憶する。これにより、レポート記憶部４中の複数の医用レポートそれぞれについて、個別に項目の値およびその設定情報を設置することが可能となる。
【００４６】
制御部１４は、記憶部１３に記憶された設定情報にしたがい、その設定情報と対応づけられた医用レポート文書データに対して実行される出力処理を制御する。これにより、医用レポートの印刷やＷｅｂ参照時、部門毎、および医療従事者のロール毎にきめ細やかな出力制御をすることができる。
【００４７】
以上、各医用レポートの項目それぞれについて、個別に設定情報を設定する場合について説明した。ここで例えば癌の診断情報などは、多くの場合患者説明の際には開示されない情報と考えられる。本実施の形態に係る医療情報入力装置６は、各医用レポート中の項目毎に設定情報を設定自在となっている。しかしながら、何らかの理由で設定情報を設定する必要がない場合は、それぞれの項目に設定情報を入力するのは煩雑となると考えられる。そこで、値候補一覧画面１２０中に設定情報の入力欄を表示するか否かを事前に設定できることが好ましい。
【００４８】
図１１は、実施の形態に係る医療情報入力装置６における入力項目の設定情報を事前に設定するための設定情報の入力設定画面１４０の一例を示す図である。図１１に示す画面は、医療情報入力装置６のユーザが入力部１５を操作することを契機として、入力画面生成部１２が生成して表示部１６に表示させる。
【００４９】
図１１に示すように、設定情報の入力設定画面１４０には、符号１４２ｂで示すリストに設定情報を設定させる用語の候補一覧が表示されている。医療情報入力装置６のユーザは、符号１４４で示すアイコンを操作することにより、符号１４２ｂで示すリスト中の用語を、符号１４２ａで示すリスト内に出し入れすることができる。符号１４２ａで示すリスト中に存在する用語は、値候補一覧画面１２０中に設定情報の入力欄が表示される。
【００５０】
このように、設定情報の入力設定画面１４０で事前に表示することを明示した用語が、値候補一覧画面１２０中に設定情報の入力欄が表示される。これにより、設定情報の設定の必要ない項目について設定情報を設定する手間を省くことができる。
【００５１】
ところで、図７や図９に示すように、医用レポート中の各項目には複数の値が入力されることもありうる。図１１に示す設定情報の入力設定画面１４０において設定情報の入力欄を表示するように指示された診断項目１２２は、入力された値の全てについて、設定情報の入力欄が表示される。ここで、ある診断項目１２２に入力された複数の値は、同じ設定情報が設定される場合もあり得る。そこで、同じ診断項目１２２に入力された値の設定情報を一括して設定できると、入力の手間が省けてユーザビリティを向上させることができる。
【００５２】
図１２は、実施の形態に係る医療情報入力装置６における入力項目の設定情報の一括設定を説明するための図であり、図９に示すレポート入力画面１００と比較すると、図１２に示すレポート入力画面１００には一括設定欄１２６が増設されている。
【００５３】
図１２に示す例では、医療情報入力装置６のユーザは、「存在診断」に対する一括設定欄１２６に「Ｐ」を入力する。この結果、「存在診断」に入力された値である「びらん」、「赤血（多発性）（数個）」、および「バレット（上皮、食道、潰瘍）」に対する設定情報は全て「Ｐ」に設定される。同様に、ユーザは医用レポートに入力する病変を示す項目である「病変０１」に対する一括設定欄１２６に設定情報を入力すると、病変０１に対する診断項目１２２の一括設定欄１２６にも「Ｐ」が設定される。結果として、各診断項目１２２の値にも「Ｐ」が設定される。
【００５４】
医用レポートは「部位」、「診断項目」、「値」のように階層構造を持ち、例えば「部位」が大項目、大項目のひとつ下の階層である中項目として「診断項目」があり、中項目のひとつ下の階層である小項目として、「値」が存在する。医療情報入力装置６のユーザが医用レポート中のある階層について設定情報を一括設定すると、その下の階層も全て同じ設定情報がいわば「デフォルト値」として設定される。一括設定された設定情報はデフォルト値であり、事後的にユーザは各設定情報を個別に変更することも可能である。このように、設定情報の一括設定によって入力の手間を省きつつ、必要に応じて個別に設定情報を変更できるため、きめ細やかな出力制御を簡便に実施することができる。
【００５５】
以上説明したように、実施の形態に係る医療情報入力装置６によれば、医療レポート毎に入力内容の出力を制御することができる。
【００５６】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５７】
上記の説明では、設定情報の入力設定画面１４０を利用することで、設定情報の入力欄が表示されるか否かを制御できる場合について説明した。上述したように、例えば癌の診断情報などは、多くの場合患者説明の際には開示されない情報と考えられる。入力画面生成部１２は、このような出力制限推奨項目については、図１１に示す中の符号１４２ａで示すリスト内、すなわち定情報の入力欄を表示すべき項目のリスト内にはじめから格納して設定情報の入力設定画面１４０を生成してもよい。これにより、本来開示すべきではない情報が開示されてしまうことを軽減することができる。
【００５８】
さらに加えて、入力画面生成部１２は、図８に示す質的診断に関する値候補一覧画面１３０においてユーザが出力制限推奨項目を選択した場合、設定情報のデフォルト設定として「Ｗ」、すなわち全ての場合に非表示の設定としてもよい。これにより、本来開示すべきではない情報が開示されてしまうことをさらに軽減することができる。また、医療従事者は、必要があれば自動的に設定された設定情報を事後的に変更することもでき、きめ細やかな出力制御を簡便に実施することができる。
【符号の説明】
【００５９】
１  医療情報入力システム、  ２  モダリティ、  ３  ネットワーク、  ４  レポート記憶部、  ５  オーダ情報管理装置、  ６  医療情報入力装置、  １０  ユーザインタフェース、  １１  データ作成開始部、  １２  入力画面生成部、  １３  記憶部、  １４  制御部、  １６  表示部。
【図１】
2014211828.tif 000003
【図２】
2014211828.tif 000004
【図３】
2014211828.tif 000005
【図４】
2014211828.tif 000006
【図５】
2014211828.tif 000007
【図６】
2014211828.tif 000008
【図７】
2014211828.tif 000009
【図８】
2014211828.tif 000010
【図９】
2014211828.tif 000011
【図１０】
2014211828.tif 000012
【図１１】
2014211828.tif 000013
【図１２】
2014211828.tif 000014